(57)【要約】【課題】ゴルファーにとっていつ如何なる場面でも一定の正確なスウィングができることが夢である。その問題に対しそれを解決しようとする発明である。【解決手段】ゴルフシャフトの上に内部球体６を内臓した位置検知器５を置き、アドレス、バックスウィング、打点、フォロースウィング時にグリップが正確な位置にきた時、内部球体６があらかじめ設定した位置検知器５との接点に埋め込まれた電導体接点と接触し、電流が流れ、発光又は音声でその正確性を伝えるゴルフスウィング練習器。【選択図】      図１
2005034188.tif 000002
【特許請求の範囲】
【請求項１】
ゴルフシャフトのグリップエンド又はグリップ先に非導電性の球体又は両端が球面を有する円筒体の内部にその球面の内径より小さい外径をもつ導電性の球体を内臓した位置検知器において、正しいアドレスの位置で内臓球体が静止する位置検知器球面上の接点、ならびにバックスウィング及びフォロースウィングの重要な過程で内臓球体が通過する接点に電導体接点を設け、電池を含めた電気回路の中でＬＥＤなど発光器具や電子音器具で光や音を出すことで練習者に正しい位置を伝える機能を全てゴルフシャフト上に持つゴルフスウィング練習器。
【請求項２】
請求項１においてアドレス、バックスウィング、打点及びフォロースウィングでの４過程で全て順次内部球体が電導体接点に接触したとき、発光又は音声で正しいスウィングであったことを練習者に伝える機能を果たすプロセッサー（ＣＰＵ）を具備するゴルフスウィング練習器。
【発明の詳細な説明】
【０００１】
【発明が属する技術分野】
本発明はゴルフの正確なスウィングを体得するための練習器に関するものである。
【０００２】
【従来の技術】
ゴルフは体調、練習量、同伴者などの要因で日々あるいは各ホールで打球の方向、距離が大きく変化する特徴を持つスポーツである。打球方向、飛距離が一定になるためにはいつも一定のスウィングが出来ることが重要である。そのために各種スウィング練習器具が開発、利用されている。その中で特許文献１では通常シャフトより短く、かつ重くしたシャフトで日常練習する器具、特許文献２では手袋に不正確なグリップに対し知覚信号を発する道具あるいは特許文献３ではスウィングの角度を検出し知らせる腕時計型ゴルフウォッチ等が提案されている。しかしながらゴルファーにとって満足度は低く、悩みの尽きないのは事実である。
【特許文献１】実開平５−７２７２
【特許文献２】特開平１０−２８６３３８
【特許文献３】特開平１１−１９７２８３
【０００３】
【発明が解決しようとする課題】
ゴルファーにとって、正確なスウィングを常時出来ることが正確な方向と飛距離を得る最大の課題であることを認識しているため、日常素振りを行ったり、練習場での練習を繰り返すが、問題点は自分のスウィングが自分の目で確認できないことである。
【０００４】
【課題を解決するための手段】
ゴルフの標準的スウィングに関しては、各種持論を持ったインストラクチャが多く存在するが、その中で
Ａ．アドレスではクラブのライ角度に沿ってシャフトを握り、かつ地面とシャフトヘッド底面が水平になるよう軽く両肘を曲げ、正面で構え
Ｂ．バックスウィングではその状態からグリップが右肩と右耳の間にいくよう、右脇を締め、上半身のねじれと体重移動を伴いながら持ち上げ
Ｃ．打点で手をタテに振り降ろしながら正確にＡの場所に戻し
Ｄ．フォロースウィングでは上半身のねじれと体重移動を伴いながらグリップを左肩と左耳の間に持ち上げる
のが、標準的なインサイド・インの打法であるという。又ドライバ−からショートアイアンまで基本は同一であるという。
【０００５】
しかしながらいつも前記Ａ−Ｄまでのプロセスで正確にスウィングしているか自分自身では判断できないのが問題である。そこでシャフトの上に、上記４点の正確なグリップの位置を知らせる光又は音を出す簡易かつ実用的なスウィング練習器を提供しようとするものである。
【０００６】
【発明の実施の形態】
グリップとヘッドとの間、かつよりグリップ側に近い位置にこのスウィング練習器を置くケースで説明する。すなわち球体又は両面が半球体を有する位置検知器の中にその球体内径より小さい外径を持つ球体を入れ内臓する。位置検知器はシャフトに平行に固定されているが、内部の球体は自由に動く構造である。この場合、シャフトヘッドを下にした状態ではヘッド側の位置検知器球面部に内部球体が接触位置し、シャフトヘッドを上にした状態ではグリップ側の球面部に接触位置するのは自然である。
【０００７】
ドライバ−使用のアドレスの場合、普通６０°前後のライ角に沿ってシャフトを握り、ヘッド底面が地面と平行になるよう、左右に振れなく、かつねじれのない姿勢をとれば、練習者の身長とは無関係に位置検知器球面と内部球体の接点はいつも一定の場所である。
【０００８】
同様にバックスウィングでもシャフトを持ち上げた状態の正常な形は一つであり、位置検知器と内部球体の位置はいつも一定の場所である。
【０００９】
振り下ろした打点では、シャフトヘッドがアドレスの場所と同一の位置に戻ることが求められるため、アドレスでの位置検知器球面と球体の位置の接点が一緒である。
【００１０】
フォロースウィングでもシャフトを持ち上げた状態での正常な形は一つであり、位置検知器球面と内部球体の位置は一定である。
【００１１】
この４点の位置での接点に非電導体からなる位置検知器球面に電導体接点を設け、電導体からなる内部球体が接触した時、電流が流れる構造にし、発光又は音声を出すことで正確な位置でスウィングしていることを利用者に伝えることが可能である。
【００１２】
また４点の接点が連続的に行われることが全体の正確なスウィングをする上で最も重要なことである。そのために４点の接点で連続的に電流が流れたことを判断する機能を持つプロセッサー（ＣＰＵ）を具備し、光の点滅や音声などの方法でトータルスウィングでの正確性を練習者に伝えることが出来る。すなわち練習者に対し、素振りや練習場での実球練習で正確なスウィングか否かを知らせることができ、自然に正確なスウィングを体得することが可能である。
【００１３】
【実施例】
図１は、本発明器具であるスウィング練習器の全体図である。ゴルフシャフトグリップ部１前方のシャフト２上に、シャフトと位置検知器等を固定する振動吸収体で作られた固定器具３が載せられ、シャフト２と固定器具３をしっかり接合させるためのバンド４、固定器具３の上には位置検知器５以外に、ＣＰＵ７、発光器具８、音声発生器具９及び電池１０が積載され、かつ電線等で電気的につながっている。
図２ではプラスチック等非伝導体で出来た位置検知器５内部を自由に動く導電性の内部球体６が内臓されている状態を示す。
【００１４】
図３にゴルフスウィングのアドレスからフォロースウィング完了までのモデル図を示すが、まずアドレス姿勢Ａでは前述したようにシャフトの底面に沿ってシャフトを地面と平行に、かつシャフトのライ角、ドライバ−の場合はほぼ６０°、に沿った角度でシャフトを握り構える。又ヘッド面は飛ばす方向に直角にする必要があり、角度を間違った姿勢でスウィングした場合、打球の方向と飛距離を大きく狂わすことになる。この正確な姿勢をとった時の位置検知器５と内部球体６の接点１１は図４にしめすように一定の位置となる。この正確な姿勢位置に電導体接点１１を位置検知器５の外部から取りつけ、内部球体６が接した時、電流が流れる。
【００１５】
シャフトと地面との角度（ライ角）やシャフトのひねり、シャフトの振れ及びボールに対するヘッドの直角性が不正確な場合は内部球体６の位置がずれ、当然電流は流れない。接点１１に内部球体６が接触した時点で電気的につながり、ＣＰＵ７を通じて発光器具８や音声発生器具９で光や音声を出し、練習者へ正確なスウィングであることを伝える。当然全体回路には電池１０が組みこまれている。
【００１６】
同様に図３にあるバックスウィングでは最終姿勢に至る重要なＢの位置でグリップを右肩と右耳の間に正確に持ち上げる姿勢が重要で、グリップの位置が前過ぎるとスライスボール、後ろ過ぎるとフックボールになると言われている。Ｂの位置は練習者の身長でそのグリップの地面に対する高さは異なるが、接点位置は一定のはずであり、位置検知器５と内部球体６の接点はどの練習者にとっても一定である。その位置にバックスウィングがきた時、アドレス姿勢と同様な方法で光又は音声で練習者に伝えることが出来る。
【００１７】
図３の打点ＣではアドレスＡの接点に戻すことが原則であり、ＡとＣの接点は一緒である。
【００１８】
フォロースウィングの場合も全く同じである。その結果、グリップ側の位置検知器５の球面には、バックスウィング用位置Ｂとフォロースウィングの位置Ｄ部分に図５のように１２、１３の２個の電導体接点が付くことになる。
【００１９】
ＣＰＵ７の論理回路ではＡ−Ｂ−Ａ（Ｃ）−Ｄと一定の時間以内に電流が流れた場合は４点のスウィング位置が正しかったことを伝える機能を有しておけば、その旨を練習者に光又は音声で伝えることが出来る。その構成を図６に示す。
【００２０】
一方、位置検知器５の球体部分の内径は、シャフトの振れ等の検知機能の面では大きい方が好ましいが、スウィングする上で支障のない直径は最大５０ｍｍ以下である。内蔵する内部球体６の外径は位置検知器５の内径に近い外径から極端に小さい外径の球体６の組み合わせが可能であるが、例えば極端に小さい外径を持つ内部球体６の場合は、位置合わせの時、位置検知器５球面でわずかな振動に対し動きまわり、位置が定まらない欠点を持つ。一般的には位置検知器５球面内径の１０％から９０％の外径を持つ内部球体６が望ましい。
【００２１】
位置検知器５側の接点１１、１２、１３の接点には２個の電導体接点１４を位置検知器５球面に埋め込み、その真中に導電性材料で出来ている内部球体６が位置する又は通過する時に電流が通じる方式を考案した。このことで電導体接点部分の耐久性を高めると共に、正確な位置の検知が可能である。
例えば位置検知器５球面内径が３０ｍｍの場合、シャフトの位置が５°左右に振れる時、位置検知器５球面の位置はわずか１ｍｍ程度しかずれない。このことは例えば直径１ｍｍの電導体接点であれば、振れに対する検知誤差が５°であるということになり、位置検知機能の正確性に欠ける。
そこで図７のように位置検知器５球面と内部球体６の接点を中心に機械加工が可能な距離で、かつ日常使用する範囲の直径を持つ電導体接点１４を対称的位置に突起状に２個埋め込み、内部球体がその２個の電導体接点の間に来た時、電気的回路がつながる方式をとる。当然圧電素子や光による検出手段もある。
【００２２】
ゴルフシャフトは実用上、１番から数種の番手をその飛距離によって使い分けているため、本スウィング練習器はその番手の数だけ用意する必要があると思われるが、基本的にスウィングはドライバ−であれショートアイアンであれ一緒であり、練習・利用者は基本的にはドライバ−用に一個用意すればいい。
【００２３】
パター用のスウィング練習器は、パター時のパターの動きが直線性を求められるだけであり、太鼓型の位置検知器で充分であり、容易に作成することが可能である。
【００２４】
【発明の効果】
本発明品のスウィング練習機を短い練習用シャフトに具備することで日常いつでも、どこでも正確なスウィングの練習が可能であり、またゴルフ練習場で実際のドライバ−に装着することで正確なスウィングを確認しながら実球練習が可能となり、正確なスウィングを体得することにつながる。また実際のゴルフコースでの装着は許されないが、コースに出る直前に自分のスウィングをチェックすることが可能である。
【図面の簡単な説明】
【図１】ゴルフスウィング練習器全体取付図である。
【図２】位置検知器の断面図である。
【図３】一般的なゴルフスウィングのプロセスを示す。
【図４】位置検知器と内部球体のアドレス時の接点位置を示す。
【図５】バックスウィングとフォロースウィング時の接点位置を示す。
【図６】電気回路図を示す。
【図７】位置検知器球面と内部球体の電導体接点方式を示す。
【符号の説明】
１  ゴルフシャフトグリップ
２  シャフト
３  固定器具
４  固定用バンド
５  位置検知器
６  内部球体
７  プロセッサー（ＣＰＵ）
８  発光体
９  音声発生器
１０  電池
１１  アドレス時接点
１２  バックスウィング時接点
１３  フォロースウィング時接点
１４  電導体接点
【図１】
2005034188.tif 000003
【図２】
2005034188.tif 000004
【図３】
2005034188.tif 000005
【図４】
2005034188.tif 000006
【図５】
2005034188.tif 000007
【図６】
2005034188.tif 000008
【図７】
2005034188.tif 000009